(57)【特許請求の範囲】
【請求項１】
複数の携帯電話装置（１７）が、互いに同じ送信チャンネルで基地局と通信するシステムで、該複数の携帯電話装置（１７）の一つを前記送信チャンネルの後続の送信ブロック（１３、１３′）へ割り当てるための割当信号（１１、１１′）を認識する携帯電話装置（１８）のエラー・レート決定方法であって、下記の手順工程、すなわち
−割当信号（１１、１１′）を有する送信ブロック（１２、１２′）の送信工程と、
−被試験携帯電話装置（２６）による前記割当信号（１１、１１′）の受信工程と、
−前記被試験携帯電話装置（２６）による、前記後続の送信ブロック（１３、１３′）が、受信された割当信号（１１、１１′）により前記被試験携帯電話装置（２６）に割り当てられたか否かの決定工程と、
−割り当てられていた場合の、前記被試験携帯電話装置（２６）による、後続の送信ブロック（１３、１３′）におけるメッセージ信号の送信工程と、
−相当する送信ブロック（１３、１３′）における前記被試験携帯電話装置（２６）からの前記メッセージ信号の受信工程と、
−前記被試験携帯電話装置（２６）宛の割当信号（１１、１１′）後に、前記被試験携帯電話装置（２６）からのメッセージ信号が前記後続の送信ブロック（１３、１３′）において受信されたか否かのチェック工程と、
−前記被試験携帯電話装置（２６）宛ての割当信号（１１、１１′）のうち、認識されなかったものの数の決定工程と
を備え、
送信する割当信号（１１、１１′）が、前記被試験携帯電話装置（２６）宛ての割当信号と、前記被試験携帯電話装置（２６）と同じ送信チャンネルで通信する他の携帯電話装置宛ての少なくとも１つの他の割当信号と、から選択される、
エラー・レート決定方法。
【請求項２】
前記被試験携帯電話装置（２６）宛ての割当信号のうちの、認識されなかったものの数から第１のエラー・レートが決定されることを特徴とする請求項１に記載の方法。
【請求項３】
前記被試験携帯電話装置（２６）と同じ送信チャンネルで通信する他の携帯電話装置宛ての割当信号であって、前記被試験携帯電話装置（２６）により、該被試験携帯電話装置（２６）に割り当てられているとして不正確に認識された割当信号の数が決定されることを特徴とする請求項１または２に記載の方法。
【請求項４】
前記被試験携帯電話装置（２６）と同じ送信チャンネルで通信する他の携帯電話装置（１７）宛の割当信号のうち、前記被試験携帯電話装置（２６）により、該被試験携帯電話装置（２６）に割り当てられているとして不正確に認識された割当信号の数から第２のエラー・レートが決定されることを特徴とする請求項３に記載の方法。
【請求項５】
前記被試験携帯電話装置（２６）と同じ送信チャンネルで通信する他の携帯電話装置宛ての割当信号のうち、前記被試験携帯電話装置（２６）により、該被試験携帯電話装置（２６）に割り当てられているとして不正確に認識された割当信号の数が決定されること、および、前記被試験携帯電話装置（２６）宛ての割当信号のうちの、認識されなかったものの数から第１のエラー・レートが決定され、かつ、割り当てられているとして不正確に認識された割当信号の数から第２のエラー・レートが決定されることを特徴とする請求項１に記載の方法。
【請求項６】
後続の送信ブロックへ携帯電話装置（１７）を割り当るための前記割当信号は、前記被試験携帯電話装置（２６）と同じ送信チャンネルを使用するすべての携帯電話装置（１７）の前記割当信号から選択されることを特徴とする請求項１〜５のいずれか一項に記載の方法。
【請求項７】
前記被試験携帯電話装置（２６）宛の、送信する割当信号の数の、送信する割当信号（１１、１１′）の総数に対する比率を設定可能であることを特徴とする請求項１〜６のいずれか一項に記載の方法。
【請求項８】
次の送信ブロックに関する前記割当信号（１１′）の選択は少なくとも、前に送信されたもののうちの最後の割当信号（１１）に依存して行うことを特徴とする請求項１〜７のいずれか一項に記載の方法。
【請求項９】
複数の携帯電話装置（１７）が、互いに同じ送信チャンネルで基地局と通信するシステムで、該複数の携帯電話装置の一つ（１８）を前記送信チャンネルの後続の送信ブロック（１３、１３′）へ割り当てるための割当信号を認識する携帯電話装置（２６）のエラー・レートを決定する試験装置であって、
割当信号（１１、１１′）を有する送信ブロック（１２、１２′）を送信する送信装置（２１．１）と、
前記被試験携帯電話装置（２６）によって前記後続の送信ブロック（１３、１３′）において送信されたメッセージ信号を受信する受信装置（２１．２）と、
前記被試験携帯電話装置（２６）宛の割当信号に続く送信ブロックであって、前記被試験携帯電話装置（２６）がメッセージ信号を送信しない送信ブロックの数を決定する評価装置と、
少なくとも、前記被試験携帯電話装置（２６）宛ての前記割当信号と、前記被試験携帯電話装置（２６）と同じ送信チャンネルで通信する他の携帯電話装置（１７）宛ての１つの他の割当信号とから、送信すべき割当信号を選択する選択装置（２４）と
を備えている試験装置。
【請求項１０】
前記評価装置（２３）は、前記被試験携帯電話装置（２６）宛ての割当信号（１１、１１′）のうち、認識されなかったものの数から第１のエラー・レートを決定するエラー・レート決定手段（２３．１）を備えていることを特徴とする請求項９に記載の試験装置。
【請求項１１】
前記評価装置（２３）は、前記被試験携帯電話装置（２６）と同じ送信チャンネルで通信する他の携帯電話装置（１７）宛ての割当信号のうち、前記被試験携帯電話装置（２６）により、該被試験携帯電話装置（２６）割り当てられているとして不正確に認識された割当信号（１１、１１′）の数を決定する手段を備えていることを特徴とする請求項９または１０に記載の試験装置。
【請求項１２】
前記評価装置（２３）は、前記被試験携帯電話装置（２６）と同じ送信チャンネルで通信する他の携帯電話装置（１７）宛ての割当信号のうち、前記被試験携帯電話装置（２６）により、該被試験携帯電話装置（２６）割り当てられているとして不正確に認識された割当信号の数から第２のエラー・レートを決定する手段（２３．１）を備えていることを特徴とする請求項１１に記載の試験装置。
【請求項１３】
前記選択装置（２４）は、前記被試験携帯電話装置（２６）と同じ送信チャンネルで通信する全ての携帯電話装置（１７）の割当信号から、送信すべき割当信号（１１、１１′）を選択するために設けられていることを特徴とする請求項９〜１２のいずれか一項に記載の試験装置。
【請求項１４】
前記被試験携帯電話装置（２６）宛ての、送信する割当信号の、送信する割当信号（１１、１１′）の総数に対する比率を前記選択装置（２４）により決定可能であることを特徴とする請求項９〜１３のいずれか一項に記載の試験装置。
【請求項１５】
次の送信ブロック（１３′）に関する前記割当信号（１１′）は、少なくとも、前に送信されたもののうちの最後の割当信号（１１）に依存して決定可能であることを特徴とする請求項９〜１４のいずれか一項に記載の試験装置。
【発明の詳細な説明】
【技術分野】
【０００１】
本発明は、割当信号を認識する携帯電話装置のエラー・レートの決定方法および試験装置に関するものである。
【背景技術】
【０００２】
携帯電話システムの送信能力を向上するために、複数の携帯電話契約者または装置あるいはこれらの双方に対して１つの送信チャンネルを使用することはすでに知られている。この１つの送信チャンネル内で、基地局は携帯電話装置に複数の携帯電話装置のうちのどれがその時点で基地局と通信しているかを通知する。
【０００３】
例えば、送信ブロックは、それぞれ基地局が割当信号、すなわち、いわゆる「ＵＳＦ」（Ｕｐｌｉｎｋ  Ｓｔａｔｅ  Ｆｌａｇ、上り回線状態フラグ）を用いて送信するが、この送信ブロックは、同じ送信チャンネルにおいて基地局と通信している携帯電話のうちどれが次の送信ブロックの間に基地局に送信することが可能であるかを特定する。この種の柔軟な割当は、例えば特許文献１にすでに記載されている。この場合は、一連の連続する送信ブロックからなる送信チャンネルは８人までの契約者により使用される。
【０００４】
【特許文献１】欧州特許出願公開第１１３９６１４号明細書
【発明の開示】
【発明が解決しようとする課題】
【０００５】
一人の契約者に対して送信チャンネルの割当が固定されている場合と比べて、送信チャンネルの送信能力の使用において顕著な改善をもたらす、そのようなシステムにおいて円滑な操作を保証するために、携帯電話装置による割当は相当程度のセキュリティをもってなされる必要がある。そのような携帯電話はすべて端末装置であり、基地局と通信する。そのような割当信号を携帯電話装置が認識しない場合、潜在的な送信能力が未使用のままとなるのは一部分のみとなる。しかし、携帯電話装置による認識が不正確である場合は、それよりはるかに大きい困難が生じる。後者の場合、次の通信ブロックにおいて、少なくとも２台の携帯電話装置が同時に基地局に送信し、そのため通信された情報は、ある場合には、評価することが不可能になる。
【０００６】
従って、携帯電話装置の開発において、および生産中の装置の試験の開発において、認識されなかった割当を割り出し、それらを割当信号の送受信数と比較することが必要である。このようにして決定されたエラー・レート（ＢＬＥＲ、ブロック・エラー・レート）に対して、最大許容限度の１パーセントが、例えば、ＥＧＰＲＳシステム用の仕様において確立されている。
【０００７】
本発明は、エラー・レートの実用指向の決定を可能にするエラー・レート決定方法および試験装置を提供することを目的とする。
【課題を解決するための手段】
【０００８】
この目的は、請求項１に記載の本発明による方法および請求項９に記載の本発明による試験装置により達成される。
【０００９】
本発明の方法では、割当信号を認識する携帯電話システムのエラー・レートを決定するために、まず送信ブロックが携帯電話装置に送信され、この送信ブロックには割当信号が含まれる。試験されている携帯電話（以下、被試験携帯電話という）はその中に割当信号を含む信号を受信し、この割当信号のアドレスを検査する。この場合、この携帯電話装置がその割当信号がこの携帯電話装置自体に向けられていることを確認すると、この携帯電話装置は後続の送信ブロックにおいて基地局へメッセージ信号を送信する。
【００１０】
逆に、送信ブロックに含まれる割当信号が受信されたことを検査するときに、この携帯電話装置に向けられた割当信号が認識されない場合は、被試験携帯電話装置は正確にこの時刻にメッセージ信号を送らない。被試験携帯電話装置に対しては、この結果は、割当信号が向けられた同じ送信チャンネルの他の携帯電話装置と同義であるため、この被試験携帯電話装置は後続の送信ブロックでは送信してはならないことを意味している。
【００１１】
携帯電話装置による割当信号の認識の品質を決定するために、被試験携帯電話装置が送信した筈の送信ブロックのうち、この被試験携帯電話装置によりメッセージ信号が送信されていない送信ブロックの数を決定する。さらに、被試験携帯電話装置宛の割当信号の排他的使用を防止するために、本発明によれば、送信すべき割当信号が少なくとも２つの異なる信号から選択される。これらの割当信号の一つは被試験携帯電話装置に宛てられており、少なくとも１つのさらなる割当信号は同じ送信チャンネルの他の携帯電話装置に宛てられている。このように相互に異なる少なくとも２つの割当信号から選択することにより、携帯電話装置が入信する割当信号のシーケンスを試験と同定するのがより困難になる。従って、この試験結果は実際の操作条件により匹敵するものである。
【００１２】
従属請求項は本発明の方法および試験装置の有利なさらなる発展形態に関するものである。
【００１３】
特に、被試験携帯電話装置に関する割当信号に対するエラー・レートの大きさだけでなく、同じ送信チャンネルの他の携帯電話装置宛の割当信号の誤った認識に対するエラー・レートの大きさも決定することが有利である。割当信号の一方は被試験携帯電話装置宛てであり、他方は同じ送信チャンネルを使用する他の携帯電話装置宛である少なくとも２つの割当信号を使用することにより、同時に上述の両方のエラー・レートを決定することが可能である。
【００１４】
これにより、エラー・レート決定試験装置の操作、従ってエラー・レート決定方法の実施が簡単になるだけでなく、同時に、携帯電話の実際の操作条件への適合が改善され、従って特に統計的に価値の高い測定結果が得られる試験の実施が可能になる。
【００１５】
本発明の方法および試験装置の他の有利な実施形態によれば、被試験携帯電話装置宛の割当信号の送信数は、割当信号の全送信数に対する所定の割合であり、この所定の割合はユーザーによって決定可能であることが好ましい。
【発明を実施するための最良の形態】
【００１６】
添付図面を参照して、本発明の試験装置および方法をさらに詳細に説明する。
【００１７】
図１は、一例として、携帯電話システムにおけるメッセージ信号の送信手順を示す。例えば、ＥＧＰＲＳ（Ｅｎｈａｎｃｅｄ  Ｇｅｎｅｒａｌ  Ｐａｃｋｅｔ  Ｒａｄｉｏ  Ｓｙｓｔｅｍ、拡張ジェネラル・パケット・ラジオ・システム）の場合は、経時反復される固定構造が割当信号の送信に使用されている。図１において、図示された時間セグメントに対して６つの連続フレーム１〜６により示されている。
【００１８】
この種のフレーム内にさらなる時間細区分が設けられており、フレーム１〜６はそれぞれ０〜７の符号を付された時間帯（タイムスロット）からなる。例えば、基地局と携帯電話装置の契約者（契約者装置）の間の通信はそれぞれフレーム１〜６の所定の時間帯０〜７内に起きる。
【００１９】
図１には示さないが、すべての連続フレーム１〜６並びに他のフレームを通して時間帯０〜７に対する所定の数が通信チャンネルを形成しており、この通信チャンネルの中で信号を携帯電話装置と基地局との間で送信することが可能である。携帯電話装置と基地局との間の情報の送信は送信ブロック７．１と７．２において起きるが、これらの送信ブロックはそれぞれ４つの連続フレーム１〜６の４つの対応する時間帯からなる。
【００２０】
従って、図１に説明するように、各送信ブロック７．１（ＲＢi ）は後続のフレーム１、２、３および４における符号３の時間帯から形成される。同じ送信チャンネルの次の送信ブロック７．２（Ｂi+1 ）はフレーム５の時間帯３から出発する。この送信ブロック７．２（Ｂi+1 ）に加えて、図１にはフレーム６の時間帯３も示されているが、２つのさらなるフレームの２つのさらなる時間帯３の関連は点線矢印により示されている。
【００２１】
送信チャンネルの送信能力の最大限の使用を保証するために、送信チャンネルの連続送信ブロックを異なる契約者または契約装置が使用することが可能である。これは、音声信号のような単純な情報の送信には１つの送信チャンネル全体の能力は必要とされない、という事実を利用している。従って、複数の携帯電話装置がまとめて１つの送信チャンネル内で操作され、個々の送信ブロックはそれぞれ正確に１つの携帯電話装置に割り当てられる。この割当により２つ以上の携帯電話装置からのメッセージ信号の重複が防止される。
【００２２】
図２は、時間的経過と携帯電話契約者に対する個々の送信ブロックの割当をごく簡単に示す。時間軸８について、図２には、複数の連続送信ブロックからなる、下り回線信号（ＤＬ）９が示されている。図２にはまた、複数の連続送信ブロックからなる、上り回線信号（ＵＬ）１０が示されている。
【００２３】
下り回線信号９は基地局により携帯電話装置へ送信された信号である。上り回線信号１０は携帯電話装置から基地局へ送信された信号である。後続の送信ブロック、好ましくは次の送信ブロックにおいて複数の携帯電話装置のうちどれが基地局と通信可能であるかを確立するために、同じ送信チャンネルの複数の携帯電話装置の１つに宛てた下り回線信号９の送信ブロックのそれぞれに割当信号１１（ＵＳＦ）が含まれている。同じ送信チャンネルの携帯電話装置は、例えば参照符号１２を付された送信ブロックにおいて送信される、この割当信号１１を評価する。
【００２４】
後続の送信ブロック１３の間、送信ブロック１２（ＲＢi+1 ）の割当信号１１の宛先の携帯電話装置が基地局にメッセージ信号を送信する。下り回線信号９の後続の送信ブロック１２′（ＲＢi ）はまたもや割当信号１１′を含んでおり、この割当信号１１′で携帯電話装置が上り回線信号１０の後続送信ブロック１３′（ＲＢi+1 ）に宛てられている。これら２つの割当信号１１および１１′は同じ携帯電話装置か、または同じ送信チャンネルの異なる携帯電話装置に宛てることが可能である。
【００２５】
図３はそのような携帯電話システムの実際の操作をごく簡単に示す。同じ送信チャンネルを使用する携帯電話装置１７の１つに宛てられた割当信号（ＵＳＦ）が基地局１５から下り回線信号１６として送信される送信ブロックのそれぞれに含まれている。例えば、携帯電話装置１８が、最後に送信された割当信号を評価する際に、その信号が携帯電話装置１８に宛てられていることを認識すると、携帯電話装置１８は後続の通信ブロックにおいて基地局にメッセージ信号を送信する。例えば、最大８つの携帯電話装置を持つ通信チャンネルの定義に鑑み、送信され割当信号の正確な評価が携帯電話システムの円滑な機能にとって非常に重要である。従って、特定の参照レベルで、例えば１パーセント（％）未満のエラー・レートが、携帯電話装置による割当信号の認識に対するＥＧＰＲＳ用の標準に従って必要とされる。
【００２６】
このエラー・レートを決定するために、エラー・レートを決定しようとする対象の携帯電話装置か、または同じ通信チャンネルに属する他の携帯電話装置のいずれかに宛てられた割当信号１１が、図２に示すように送信ブロック１２（ＲＢi+1 ）において送信される。割当信号１１が被試験携帯電話装置に宛てられているときは、図４に示すような試験装置が、上り回線信号１０の後続の送信ブロック１３（ＲＢi+1 ）について、被試験携帯電話装置がメッセージ信号を送信したか否かを決定する。エラー・レートを決定するために、下り回線信号９の先行送信ブロックが被試験携帯電話装置に宛てられているのでメッセージ信号が被試験携帯電話装置により通信された筈である、送信ブロックの数が決定される。
【００２７】
認識されなかった割当信号の数と被試験携帯電話装置宛ての割当信号の数を比較することにより、被試験携帯電話装置宛ての、この認識されなかった割当信号の数から、第１のエラー・レートが決定される。
【００２８】
下り回線信号９の次の送信ブロック１２′（ＲＢi ）が送信される前に、次の送信ブロック１２′（ＲＢi ）に含まれる割当信号１１′が被試験携帯電話装置に宛てたものか、または同じ送信チャンネルの他の携帯電話装置に宛てたものかを推定する。どれに関して次に割当信号送信されるかという、この決定は、被試験携帯電話装置宛の割当信号がすでに幾つ送信されたか、または最後に送信された割当信号が被試験携帯電話装置宛てであるか否かをも考慮に入れることが可能である。
【００２９】
送信すべき割当信号を選択する際に、さらなる選択基準を決定することも可能である。
【００３０】
被試験携帯電話装置宛でない割当信号１１′が下り回線信号９の次の送信ブロック１２′（ＲＢi）において送信されるときは、上り回線信号１０の後続の送信ブロック１３′（ＲＢi+1）について、被試験携帯電話装置がメッセージ信号を送信したか否かが決定される。この場合、下り回線信号９の先行する送信ブロックでは他の携帯電話装置が宛先となっていたとしても、被試験携帯電話装置によりメッセージ信号が送信された送信ブロックの数が決定される。
【００３１】
第１のエラー・レートと同様にして、これらの不正確に認識された割当信号の数から第２のエラー・レートが決定される。この第１および第２のエラー・レートの決定は順次実施される２つの別個の測定により生じるのではなく、下り回線信号９の先行する送信ブロック内にそれぞれ含まれる割当信号を考慮に入れた、上り回線信号１０の送信ブロックの評価により生じる。
【００３２】
送信すべき次の割当信号が被試験携帯電話装置に宛てられた割当信号およびさらなる割当信号に基づいて選択されるのではなく、同じ送信チャンネルを使用する携帯電話装置のすべてに宛てられた割当信号の全グループに基づいて選択されるのが特に好ましい。
【００３３】
図４は本発明の試験装置２０用のブロック回路図をごく簡単に示す。試験装置２０は送受信機２１を備え、送受信機２１はアンテナ２２に接続されている。一方では、下り回線信号９はアンテナ２２を介して送信され、他方では、上り回線信号１０がアンテナ２２を介して受信される。送信および受信のために、送受信機２１はそれぞれ送信ユニット２１．１と受信ユニット２１．２を有する。
【００３４】
評価装置２３が送受信機２１に接続されており、この評価装置２３において、被試験携帯電話装置宛ての認識されなかった割当信号の数と被試験携帯電話装置以外の携帯電話装置宛ての不正確に認識された割当信号の数とが決定される。
【００３５】
さらに、評価装置２３は認識されなかった割当信号の数または不正確に認識された割当信号の数から第１または第２のエラー・レートをそれぞれ決定するエラー・レート決定手段２３．１を有する。評価装置２３において決定される第１のエラー・レートまたは第２のエラー・レートあるいはそれらの双方が、評価装置２３に接続された表示装置２５に表示される。この表示はグラフィックとテキストの双方であってもよい。
【００３６】
下り回線信号９の各送信ブロック中の、送信装置２１．１により送信されるべき割当信号は選択装置２４によって決定される。次に送信すべき割当信号を選択する際に、選択装置２４はどの割当信号が最後に送信されたかを考慮に入れることが可能である。もっとも単純な場合、最後に送信された割当信号だけが考慮に入れられる。
【００３７】
このために、選択装置は、例えば、どの割当信号が送信されたかを記憶することが可能であり、この場合、それぞれ新しく選択された割当信号は記憶領域２４．１に追加的に記憶される。そうすると、記憶領域２４．１への記録は選択装置２４による新しい割当信号の選択において考慮に入れられる。
【００３８】
本発明の方法を実施する際に、割当信号を有する各送信ブロックが試験装置２０のアンテナ２２を介して送信され、この送信された信号はアンテナ２３を用いて携帯電話装置２６により受信される。受信された信号に含まれる割当信号９は携帯電話装置２６により評価される。この評価において、携帯電話装置２６が割当信号の宛先となっていることが認識されると、携帯電話装置２６はアンテナ２３を介して上り回線信号１０の後続の送信ブロックにおいてメッセージ信号を送信する。
【００３９】
既に述べたように、メッセージ信号の送信は試験装置２０により評価され、正確に認識された割当信号、不正確に認識された割当信号、および認識されなかった割当信号の間で区別がなされる。複数の契約者に対する割当信号を送信チャンネルの送信ブロックに使用することは、図１に示すＴＤＭＡ（Ｔｉｍｅ  Ｄｉｖｉｓｉｏｎ  Ｍｕｌｔｉｐｌｅ  Ａｃｃｅｓｓ、時分割多重アクセス）方式に限定されず、メッセージの送信において契約者のブロック毎の割当が起きるあらゆるシステムに使用可能である。特に、認識されなかった割当信号および不正確に認識された割当信号の同時評価は他の携帯電話システムにおいても可能である。
【図面の簡単な説明】
【００４０】
【図１】携帯電話装置における送信ブロックの形成を示す概略図である。
【図２】割当信号を有する複数の送信ブロックの経時変化を示す概略図である。
【図３】１つの送信チャンネルの複数の携帯電話装置を有する携帯電話システムの概略図である。
【図４】携帯電話装置のエラー・レート決定試験装置のブロック回路図である。
【符号の説明】
【００４１】
１〜６  フレーム
７．１、７．２  送信ブロック
８  時間軸
９  下り回線信号（ＤＬ）
１０  上り回線信号（ＵＬ）
１１、１１′  割当信号（ＵＳＦ）
１２、１２′、１３、１３′  送信ブロック  
１５  基地局
１６  下り回線信号
１７、１８  携帯電話装置
２０  試験装置
２１  送受信機
２１．１  送信ユニット（送信装置）
２１．２  受信ユニット
２２  アンテナ
２３  評価装置
２３．１  エラー・レート決定手段
２４  選択装置
２４．１  記憶領域
２５  表示装置
２６  携帯電話装置
【図１】
0004482553.tif 000002
【図２】
0004482553.tif 000003
【図３】
0004482553.tif 000004
【図４】
0004482553.tif 000005